(57)【要約】【課題】電話機能、ゲーム機能及び写真撮影機能をそれぞれ最適な形状で実行することができ、かつ簡単に目的の形状に移行することができる機構を有する折畳式携帯電話を提供すること。【解決手段】受話部と送信部にそれぞれ回転機構を有し、その２つの回転機構をヒンジ部で結合した機構を携帯電話の端部に備えた携帯電話【選択図】図７
2006148849.tif 000002
【特許請求の範囲】
【請求項１】
受話部と送信部にそれぞれ回転機構を有し、その２つの回転機構をヒンジ部で結合した機構を特徴とする折畳式携帯電話装置。
【発明の詳細な説明】
【発明の詳細な説明】
【技術分野】
【０００１】本発明は、互いに直行する２軸方向に開閉可能な折畳式携帯電話装置に関する。
【従来の技術１】
【０００２】現在、受話部と送話部を折り畳むことにより、コンパクトな状態で持ち運ぶことができる携帯電話が市販されている。しかし、通常、通話時に受話部と送話部が適度に離すことができる長手方向にのみ開閉可能であった。
【従来の技術２】
【０００３】現在の携帯電話は、通話目的以外に、メール、インターネット、カメラ、ゲームなど様々な機能を有しているが、基本的に長手方向に開いた形態のみですべての操作を行っていたため、機能によっては操作に不自由を感じることが多かった。この点を改善するべく長手方向だけでなく短手方向にも開くことができる携帯電話が発案されているが、短手方向に開いた形態から長手方向に開いた形態に移行、もしくは長手方向に開いた形態から短手方向に開いた形態に移行する際に移行する際、煩雑な操作が必要であった。
【従来の技術３】
【０００４】現在考案されている短手方向に開く機構を有する携帯電話は、現在のゲーム機で一般に使用されているＬボタン、Ｒボタンを配置することが困難であり、市販の専用ゲーム機のような操作感をだすことができなかった
【０００５】
【特許文献１】特開２００４−１２０７２７
【０００６】
【特許文献２】特開２００４−１７９８１７
【０００７】
【特許文献３】特開２００３−１１０６７３
【発明が解決しようとする課題】
【０００８】従来の長手方向、短手方向ともに開くことができる折畳式携帯電話は、長手方向に開いた形態から短手方向に開いた形態に移行する際、または短手方向に開いた形態から長手方向に開いた形態に変更する際に、煩雑さがあった。
また、ゲームを行いやすいように短手方向に開いた状態では、現在のゲーム機で一般的に使用されているＬ、Ｒボタンを配置することが困難であった。本発明は以上の問題点を一括して解消する新たな開閉機構を提供するものである。
【課題を解決するための手段】
【０００９】本発明の折畳式携帯電話は、受話部と送話部にそれぞれ回転機構を有し、その２つの回転機構をヒンジ部で結合した機構を携帯電話の端部に備えることで上述の課題を解決した。
【発明を実施するための最良の形態】
【００１０】本発明の実施の形態を図面に基づいて説明する。
本実施例の携帯電話は、通話機能のほかに、ゲーム機能、カメラ機能、メール機能、インターネット機能を有する。【００１１】図１は閉じた状態の折畳式携帯電話装置を示す三面図で、受話部、送話部にそれぞれ取り付ける回転機構の位置を破線で表したものである。また、一点鎖線で各稼動部の回転軸を表している。図１に示された形態は非常にコンパクトであり、携帯性に優れた形態となっている。【００１２】図２は長手方向に開いた状態の折畳式携帯電話装置を示す三面図で、受話部、送話部にそれぞれ取り付ける回転機構の位置を破線で表したものである。また、一点鎖線で各稼動部の回転軸を表している。図２に示された形態は受話用のスピーカと送話部のマイクロフォンが適度に離れているため、電話機能を使用する際に優れた形態となっている。【００１３】図３は短手方向に開いた状態の折畳式携帯電話装置を示す三面図で、受話部、送話部にそれぞれ取り付ける回転機構の位置を破線で表したものである。また、一点鎖線で各稼動部の回転軸を表している。図３で示された形態は左手親指で方向入力装置（１２）、右手親指でボタン入力部（８）、左手人差し指でＬボタン（１１）、右手人差し指でＲボタン（１２）を押すことができるため、ゲーム専用機と同様の操作体系で快適にゲームを楽しむことができる。【００１４】図４は長手方向、短手方向共に開いた状態の折畳式携帯電話装置を示す三面図で、受話部、送話部にそれぞれ取り付ける回転機構の位置を破線で表したものである。また、一点鎖線で各稼動部の回転軸を表している。図５は図４の背面図を示したものである。図４及び図５で示された形態は送話部背面に取り付けられたカメラレンズ部（９）とメイン表示部（５）が同じ方向を向いているため、撮影者自身の写真を撮影する際に自分で映り具合を確認しながら撮影することができる。【００１５】図６は長手方向に開いた状態の折畳式携帯電話装置の平面図でＸ軸をヒンジ部で、Ｙ軸を受話部に取り付けた回転機構で稼動させる際に、受話部に取り付ける回転機構の位置を破線で表したものである。また、一点鎖線で各稼動部の回転軸を表している。【００１６】図７は図１〜図４に示された各形態において、他の形態に変更する際に稼動させる軸を表したものである。【００１７】図１〜図６に示すように、折畳式携帯電話装置は受話部（１）、送話部（２）、２つの回転機構を有するヒンジ部（３）からなる。【００１８】受話部（１）は図１、図２に示すように、スピーカ部（４）、メイン表示部（５）、サブ表示部（６）を有する。【００１９】送話部（２）は図２、図５で示すように、マイクロフォン部（７）、ボタン入力部（８）、カメラレンズ部（９）、方向入力装置（１２）を有する。また、必要に応じて図３で示すように側面部にゲームを行う際に使用するＬボタン（１０）、Ｒボタン（１１）を配置することができる。【００２０】２つの回転機構を有するヒンジ部（３）は図１〜図５で示すように、受話部（１）の端部に取り付けられた回転機構により、Ｘ軸を軸にして長手方向に開閉することができる。また、ヒンジを稼動させることによりＹ軸を軸として短手方向に開閉することができる。更に、送話部の端部（３）に取り付けられた回転機構により、Ｚ軸を軸にして受話部（１）を回転させることができる。【００２１】２つの回転機構を有するヒンジ部（３）は、受話部（１）に取り付ける回転機構を図６の位置に取り付けた際も、受話部の図１〜図５に記された位置に取り付けられた際と同様の開閉機構を実現することができる。その際は、Ｘ軸を軸にして長手方向に開閉する際はヒンジを稼動させることで開閉し、Ｙ軸を軸にして短手方向に開閉する際は受話部に取り付けられた回転機構により開閉することになる。
【発明の効果】
【００２２】図７で示すように、本発明により、第１に図１で示された携帯性に優れた形態、第２に図２で示された通話を行う際に優れた形態、第３に図３で示されたゲームを行う際に優れた形態、第４に図４で示された自分自身を写真撮影する際に優れた形態、以上４つの形態をとることができ、かつ、一箇所の稼動のみで上述の他の形態に移行することができる。また、図３で示された形態はＬボタンやＲボタン、方向入力装置を配置することで、市販のゲーム専用機同様の操作体系でゲームを楽しむことができる。
【図面の簡単な説明】
【図１】閉じた状態の三面図
【図２】長手方向に開いた状態の三面図
【図３】短手方向に開いた状態の三面図
【図４】長手方向、短手方向共に開いた状態の三面図
【図５】図４の背面図
【図６】長手方向の開閉をヒンジで行う際の、受話部回転機構の取付け位置を示した三面図
【図７】各形態において、他の形態に変更する際に稼動させる軸を示す図
【符号の説明】
１    受話部
２    送話部
３    ２つの回転機構を有するヒンジ部
４    スピーカ部
５    メイン表示部
６    サブ表示部
７    マイクロフォン部
８    ボタン入力部
９    カメラレンズ部
１０  Ｌボタン
１１  Ｒボタン
１２  方向入力装置
【図１】
2006148849.tif 000003
【図２】
2006148849.tif 000004
【図３】
2006148849.tif 000005
【図４】
2006148849.tif 000006
【図５】
2006148849.tif 000007
【図６】
2006148849.tif 000008
【図７】
2006148849.tif 000009